(57)【特許請求の範囲】
【請求項１】
ベース部とカバー部とを有し、ベース部とカバー部とは、略々類似形であり、ベース部の開口部とカバー部の開口部とはベース部とカバー部とを閉じたときにベース部の開口部の口縁とカバー部の開口部の口縁とが重なり合い、ベース部の内側の収納部とカバー部の内側の収納部とを密閉するように構成された、ケースであって、
ベース部及びカバー部は、ベース部及びカバー部の主面部を構成する主面部材と、主面部材の端辺に接合して固定された、側面部を構成する側面部材とを備え、
前記主面部材は、シートにより一体的に形成され、ベース部の表面側に配置される第１主面部材と、カバー部の表面側に配置される第２主面部材と、前記第１主面部材と第２主面部材との間に架設された接続部材とを有し、
前記側面部材は、開口部を構成する側とは反対側の端縁に主面部材を固定するための主面部材固定部を有する帯状であって、ベース部の天部、底部及び襠部を構成する第１側面部材と、カバー部の天部、底部及び襠部を構成する第２側面部材とを有し、
ベース部を構成する第１側面部材及びカバー部を構成する第２側面部材は、平面視略直線状の手前壁部と、手前壁部の右端に連設された、平面視略直線状の右壁部と、手前壁部の左端に連設された、平面視略直線状の左壁部とを有し、
一方の側面部材の手前壁部は、カバー部をベース部に被せて締めておくための一方の留め部を備え、該留め部は、手前壁部の縁から手前側に突出され、手前壁部の手前側面に向けて接離するように折り曲げ自在に形成された、突出片を備え、該突出片は、他方の留め部に係止させる突起部を、他方の留め部側に向けて突き出し設けられ、
他方の側面部材の手前壁部は、カバー部をベース部に被せて締めておくための他方の留め部を備え、該留め部は、手前壁部の手前側面に形成された係止段部ないし係止穴部によって構成され、
ベース部の開口部の開口縁とカバー部の開口部の開口縁とは、カバー部を閉じたときに、手前側と向こう側及び右側縁と左側縁との間において、ずれを生じさせないようにするための段差によるずれ防止部を形成された、ケース。
【請求項２】
第１主面部材と接続部材との境界線部は、主面部材を構成するシート状体を折り曲げられて形成された、直線状のヒンジ部を構成し、第２主面部材と接続部材との境界線部は、主面部材を構成するシート状体を折り曲げられて形成された、直線状のヒンジ部を構成され、
第１主面部材と接続部材とは、ヒンジ部を介して折り曲げ自在に連結され、第２主面部材と接続部材とは、ヒンジ部を介して折り曲げ自在に連結され、
前記第１主面部材は、ベース部の内面側の表面の外周縁の近傍において前記側面部材を接合されて側面部材よりはみ出ることなく固定され、
前記第２主面部材は、カバー部の内面側の表面の外周縁の近傍において前記側面部材に接合されて側面部材よりはみ出ることなく固定された、請求項１に記載のケース。
【請求項３】
前記側面部材は、
帯状であって、薄肉状の連結部により分割され、主面部材を固定するときに連結部に接し合わせて主面部材を固定するように構成され、
ベース部を構成する第１側面部材は、合成樹脂で帯状に一体成形されており、平面視略直線状で断面略Ｌ字形の手前壁部と、手前壁部の右端に連設された、平面視略直線状で断面略Ｌ字形の右壁部と、手前壁部の左端に連設された、平面視略直線状で断面略Ｌ字形の左壁部と、右壁部の下端に連設された右向こう壁部と、接続部材の下端に連設された左向こう壁部とを有している、平面視略コ字形であり、カバー部を構成する第２側面部材は、合成樹脂で帯状に一体成形されており、平面視略直線状で断面略Ｌ字形の手前壁部と、手前壁部の右端に連設された、平面視略直線状で断面略Ｌ字形の右壁部と、手前壁部の左端に連設された、平面視略直線状で断面略Ｌ字形の左壁部と、右壁部の下端に連設された右向こう壁部と、接続部材の下端に連設された左向こう壁部とを有している、平面視略コ字形であり、
又は、
前記側面部材は、
帯状であって、ケースの天部、該天部に対向する底部及び該天部と底部の両端に形成される襠部を含む側面部を構成し、主面部材を固定するように構成され、
ベース部を構成する第１側面部材は、合成樹脂で帯状に一体成形されており、平面視略直線状で断面略Ｌ字形の手前壁部と、手前壁部の右端に連設された、平面視略直線状で断面略Ｌ字形の右壁部と、手前壁部の左端に連設された、平面視略直線状で断面略Ｌ字形の左壁部と、右壁部及び左壁部の下端に連設された、平面視略直線状で断面略Ｌ字形の向こう壁部とを有する、平面視略ロ字形であり、カバー部を構成する第２側面部材は、合成樹脂で帯状に一体成形されており、手前壁部と、手前壁部の右端に連設された右壁部と、手前壁部の左端に連設された左壁部と、右壁部の下端に連設された向こう壁部とを有する、平面視略ロ字形である、請求項１又は請求項２に記載のケース。
【請求項４】
ベース部の開口部の開口縁とカバー部の開口部の開口縁とは、カバー部を閉じたときに、手前側と向こう側との間において、ずれを生じさせないようにするための段差によるずれ防止部を、ベース部の右壁部と左壁部及びカバー部の右壁部と左壁部に形成され、
該ずれ防止部は、ベース部の開口部にカバー部を被せたとき、ベース部を構成する右壁部及び左壁部に突設されたずれ防止係止凸部に、カバー部を構成する右壁部及び左壁部に穿設されたずれ防止係止凹部を、嵌合させるように構成され、且つ、該ずれ防止部は、ベース部を構成する右壁部及び左壁部に穿設されたずれ防止係止凹部に、カバー部を構成する右壁部及び左壁部に突設されたずれ防止係止凸部を、嵌合させるように構成され、
及び／又は、
ベース部の開口部の開口縁とカバー部の開口部の開口縁とは、カバー部を閉じたときに、右側縁と左側縁との間において、ずれを生じさせないようにするための段差によるずれ防止部を、ベース部の手前壁部及びカバー部の手前壁部に形成され、
該ずれ防止部は、ベース部の開口部にカバー部を被せたとき、ベース部を構成する手前壁部に穿設されたずれ防止係止凹部に、カバー部を構成する手前壁部に突設されたずれ防止係止凸部を、嵌合させるように構成された、請求項１ないし請求項３のいずれかに記載のケース。
【請求項５】
請求項１ないし請求項４に記載のケースを製造する製造方法であって、
前記主面部材がシート状体に形成される工程、
前記側面部材を形成する工程、及び
前記主面部材及び前記側面部材で前記収納部を形成するように、前記第１主面部材を、ベース部の内面側の表面で前記側面部材に接合されて固定され、且つ、前記第２主面部材を、カバー部の内面側の表面で前記側面部材に接合されて固定される工程を含む、ケースの製造方法。
【発明の詳細な説明】
【技術分野】
【０００１】
この発明は、ケース及びその製造方法に関し、特に、例えば、合成樹脂で形成された主面部及び側面部を有し、用紙などを収納部に収納することができる箱形ケースや筆記用具などを収納部に収納することができるペンケースなどのケース及びその製造方法に関する。
【背景技術】
【０００２】
この発明の背景となる従来の書類用ホルダの一例が、たとえば国際公開第２００７／１３２５２２号に開示されている（特許文献１参照）。特許文献１に開示されている書類用ホルダは、書類の一部が挿入される収容部と、前記収容部に回動自在に結合された表紙部と、前記書類の閲覧時に外部からの力により前記収容部の一部が変形して前記収容部に挿入された書類の一部を押圧する固定手段と、を備えるものである。この書類ホルダは、書類に穴を開けることなく書類の閲覧及び書類の保管ができる書類用ホルダを提供することを課題として考え出されたものである。
【先行技術文献】
【特許文献】
【０００３】
【特許文献１】国際公開第２００７／１３２５２２号
【発明の概要】
【発明が解決しようとする課題】
【０００４】
特許文献１に開示されている書類用ホルダは、全体が合成樹脂で一体成型によって形成されるならば、大量生産により比較的安価に製造することができる。
しかしながら、特許文献１に開示されている書類用ホルダは、全体を合成樹脂で一体成型をするならば、成形材料を書類用ホルダの各部分に広範囲に流動させるために、書類用ホルダの各部分の厚みとして比較的厚い厚みが必要となる。そのために、書類用ホルダ全体の重量が重くなり、書類用ホルダの材料コストも高くなる。
さらに、特許文献１に開示されている書類用ホルダは、主面部分の表面の凹凸模様等が異なる多品種のものを製造しようとすれば、それぞれの品種に合った金型が必要となり、コスト的に多品種少量生産には向かない。
【０００５】
それゆえに、この発明の主たる目的は、多品種少量生産に好適であり、しかも、コスト的に安価に製造することができる、ケースを提供することである。
この発明の他の目的は、ケースの多品種少量生産に好適であり、しかも、コスト的に安価に製造することができる、ケースの製造方法を提供することである。
【課題を解決するための手段】
【０００６】
この発明にかかるケースは、ベース部とカバー部とを有し、ベース部とカバー部とは、略々類似形であり、ベース部の開口部とカバー部の開口部とはベース部とカバー部とを閉じたときにベース部の開口部の口縁とカバー部の開口部の口縁とが重なり合い、ベース部の内側の収納部とカバー部の内側の収納部とを密閉するように構成された、ケースであって、ベース部及びカバー部は、ベース部及びカバー部の主面部を構成する主面部材と、主面部材の端辺に接合して固定された、側面部を構成する側面部材とを備え、前記主面部材は、シートにより一体的に形成され、ベース部の表面側に配置される第１主面部材と、カバー部の表面側に配置される第２主面部材と、前記第１主面部材と第２主面部材との間に架設された接続部材とを有し、前記側面部材は、開口部を構成する側とは反対側の端縁に主面部材を固定するための主面部材固定部を有する帯状であって、ベース部の天部、底部及び襠部を構成する第１側面部材と、カバー部の天部、底部及び襠部を構成する第２側面部材とを有し、ベース部を構成する第１側面部材及びカバー部を構成する第２側面部材は、平面視略直線状の手前壁部と、手前壁部の右端に連設された、平面視略直線状の右壁部と、手前壁部の左端に連設された、平面視略直線状の左壁部とを有し、一方の側面部材の手前壁部は、カバー部をベース部に被せて締めておくための一方の留め部を備え、該留め部は、手前壁部の縁から手前側に突出され、手前壁部の手前側面に向けて接離するように折り曲げ自在に形成された、突出片を備え、該突出片は、他方の留め部に係止させる突起部を、他方の留め部側に向けて突き出し設けられ、他方の側面部材の手前壁部は、カバー部をベース部に被せて締めておくための他方の留め部を備え、該留め部は、手前壁部の手前側面に形成された係止段部ないし係止穴部によって構成され、ベース部の開口部の開口縁とカバー部の開口部の開口縁とは、カバー部を閉じたときに、手前側と向こう側及び右側縁と左側縁との間において、ずれを生じさせないようにするための段差によるずれ防止部を形成された、ケースである。
この発明の請求項２にかかるケースにおいては、第１主面部材と接続部材との境界線部は、主面部材を構成するシート状体を折り曲げられて形成された、直線状のヒンジ部を構成し、第２主面部材と接続部材との境界線部は、主面部材を構成するシート状体を折り曲げられて形成された、直線状のヒンジ部を構成され、第１主面部材と接続部材とは、ヒンジ部を介して折り曲げ自在に連結され、第２主面部材と接続部材とは、ヒンジ部を介して折り曲げ自在に連結され、前記第１主面部材は、ベース部の内面側の表面の外周縁の近傍において前記側面部材を接合されて側面部材よりはみ出ることなく固定され、前記第２主面部材は、カバー部の内面側の表面の外周縁の近傍において前記側面部材に接合されて側面部材よりはみ出ることなく固定された、請求項１に記載のケースである。
この発明の請求項３にかかるケースにおいては、前記側面部材は、帯状であって、薄肉状の連結部により分割され、主面部材を固定するときに連結部に接し合わせて主面部材を固定するように構成され、ベース部を構成する第１側面部材は、合成樹脂で帯状に一体成形されており、平面視略直線状で断面略Ｌ字形の手前壁部と、手前壁部の右端に連設された、平面視略直線状で断面略Ｌ字形の右壁部と、手前壁部の左端に連設された、平面視略直線状で断面略Ｌ字形の左壁部と、右壁部の下端に連設された右向こう壁部と、接続部材の下端に連設された左向こう壁部とを有している、平面視略コ字形であり、カバー部を構成する第２側面部材は、合成樹脂で帯状に一体成形されており、平面視略直線状で断面略Ｌ字形の手前壁部と、手前壁部の右端に連設された、平面視略直線状で断面略Ｌ字形の右壁部と、手前壁部の左端に連設された、平面視略直線状で断面略Ｌ字形の左壁部と、右壁部の下端に連設された右向こう壁部と、接続部材の下端に連設された左向こう壁部とを有している、平面視略コ字形であり、又は、前記側面部材は、帯状であって、ケースの天部、該天部に対向する底部及び該天部と底部の両端に形成される襠部を含む側面部を構成し、主面部材を固定するように構成され、ベース部を構成する第１側面部材は、合成樹脂で帯状に一体成形されており、平面視略直線状で断面略Ｌ字形の手前壁部と、手前壁部の右端に連設された、平面視略直線状で断面略Ｌ字形の右壁部と、手前壁部の左端に連設された、平面視略直線状で断面略Ｌ字形の左壁部と、右壁部及び左壁部の下端に連設された、平面視略直線状で断面略Ｌ字形の向こう壁部とを有する、平面視略ロ字形であり、カバー部を構成する第２側面部材は、合成樹脂で帯状に一体成形されており、手前壁部と、手前壁部の右端に連設された右壁部と、手前壁部の左端に連設された左壁部と、右壁部の下端に連設された向こう壁部とを有する、平面視略ロ字形である、請求項１又は請求項２に記載のケースである。
この発明の請求項４にかかるケースは、ベース部の開口部の開口縁とカバー部の開口部の開口縁とは、カバー部を閉じたときに、手前側と向こう側との間において、ずれを生じさせないようにするための段差によるずれ防止部を、ベース部の右壁部と左壁部及びカバー部の右壁部と左壁部に形成され、該ずれ防止部は、ベース部の開口部にカバー部を被せたとき、ベース部を構成する右壁部及び左壁部に突設されたずれ防止係止凸部に、カバー部を構成する右壁部及び左壁部に穿設されたずれ防止係止凹部を、嵌合させるように構成され、且つ、該ずれ防止部は、ベース部を構成する右壁部及び左壁部に穿設されたずれ防止係止凹部に、カバー部を構成する右壁部及び左壁部に突設されたずれ防止係止凸部を、嵌合させるように構成され、及び／又は、ベース部の開口部の開口縁とカバー部の開口部の開口縁とは、カバー部を閉じたときに、右側縁と左側縁との間において、ずれを生じさせないようにするための段差によるずれ防止部を、ベース部の手前壁部及びカバー部の手前壁部に形成され、該ずれ防止部は、ベース部の開口部にカバー部を被せたとき、ベース部を構成する手前壁部に穿設されたずれ防止係止凹部に、カバー部を構成する手前壁部に突設されたずれ防止係止凸部を、嵌合させるように構成された、請求項１ないし請求項３のいずれかに記載のケースである。
この発明の請求項５にかかるケースの製造方法は、請求項１ないし請求項４に記載のケースを製造する製造方法であって、前記主面部材がシート状体に形成される工程、前記側面部材を形成する工程、及び前記主面部材及び前記側面部材で前記収納部を形成するように、前記第１主面部材を、ベース部の内面側の表面で前記側面部材に接合されて固定され、且つ、前記第２主面部材を、カバー部の内面側の表面で前記側面部材に接合されて固定される工程を含む、ケースの製造方法である。
【発明の効果】
【０００７】
この発明によれば、主面部材と、前記主面部材を固定して箱形の収納部を形成する側面部材とを有するケースであって、前記主面部材は、シートにより形成され、前記側面部材は、前記収納部を形成するように、前記主面部材の適宜な位置に接合して固定されているので、多品種少量生産に好適であり、しかも、コスト的に安価に製造することができる、ケースを提供することができる。
ベース部とカバー部とを有するケースであって、前記主面部材は、ベース部の表面側に配置される第１主面部材と、カバー部の表面側に配置される第２主面部材とを含み、前記第１主面部材は、ベース部の内面側の表面で前記側面部材を接合されて固定され、前記第２主面部材は、カバー部の内面側の表面で前記側面部材に接合されて固定されている場合、側面部材よりはみ出ることなく主面部材が側面部材に固定される。
主面部材は、ベース部に固定される第１主面部材と、カバー部に固定される第２主面部材とを含み、前記主面部材は、前記第１主面部材から第２主面部材にのびて前記第１主面部材及び前記第２主面部材と一体的に形成される接続部材をさらに含み、前記接続部材は、ケースの側面側で前記側面部材に並置されるように形成されている場合、胴部との間に隙間のない底部を容易に形成することができる。
側面部材は、その端縁に主面部材を固定するための主面部材固定部を有する帯状であって、薄肉状の連結部により分割され、主面部材を固定するときに連結部に接し合わせて主面部材を固定するように構成されている場合、側面部材を作るための金型のコストを抑えることができる。
この発明の請求項５にかかるケースの製造方法によれば、主面部材と、前記主面部材を固定して箱形の収納部を形成する側面部材とを有するケースを製造する製造方法であって、前記主面部材がシート状体に形成される工程、前記側面部材を形成する工程、及び前記主面部材及び前記側面部材で前記収納部を形成するように、前記第１主面部材を、ベース部の内面側の表面で前記側面部材に接合されて固定され、且つ、前記第２主面部材を、カバー部の内面側の表面で前記側面部材に接合されて固定される工程を含んでいるので、多品種少量生産に好適であり、しかも、コスト的に安価に製造することができる、ケースを提供することができる。
【０００８】
この発明の上述の目的、その他の目的、特徴及び利点は、図面を参照して行う以下の発明を実施するための形態の説明から一層明らかとなろう。
この発明の説明において、ケースの天側を手前側といい、地側（底側）を向こう側といい、天側から見て右の方（襠部）を右側といい、天側から見て左の方（襠部）を左側という。
【図面の簡単な説明】
【０００９】
【図１Ａ】この発明の一実施の形態であるケースを示す斜視図解図である。
【図１Ｂ】この発明の一実施の形態であるケースを示す斜視図解図である。
【図２】この発明の一実施の形態であるケースの開いた状態を示す斜視図解図である。
【図３】図１に示すケースを構成する第１側面部材の図解図である。
【図４】図１に示すケースを構成する第２側面部材の図解図である。
【図５】図１に示すケースを構成する主面部材を製造するために用いられるシート状体の斜視図解図である。
【図６Ａ】図３に示す第１側面部材を組み立てた状態を示す下から見た斜視図解図である。
【図６Ｂ】図３に示す第１側面部材を組み立てた状態を示す上から見た斜視図解図である。
【図７Ａ】図３に示す第２側面部材を組み立てた状態を示す上から見た斜視図解図である。
【図７Ｂ】図３に示す第２側面部材を組み立てた状態を示す下から見た斜視図解図である。
【図８】図１図示ケースの留め部を示す断面図解図である。
【図９】図１Ａ  Ｘ部断面図解図である。
【図１０】図１Ａ  Ｙ部断面図解図である。
【図１１】図１に示すケースの向こう側の図解図である。
【図１２】図１に示すケースを構成する第１側面部材の図解図である。
【図１３】図１２に示す第１側面部材を組み立てた状態を示す下から見た斜視図解図である。
【図１４】図１に示すケースを構成する第２側面部材の図解図である。
【図１５】図１４に示す第２側面部材を組み立てた状態を示す下から見た斜視図解図である。
【図１６】この発明の別の実施の形態であるケースを示す斜視図解図である。
【図１７】この発明の別の実施の形態であるケースの開いた状態を示す斜視図解図である。
【図１８】図１６に示すケースを構成する側面部材の開いた状態を示す下から見た斜視図解図である。
【図１９】図１６に示すケースを構成する側面部材の開いた状態を示す上から見た斜視図解図である。
【図２０】図１６に示すケースを構成する主面部材を製造するために用いられるシート状体の斜視図解図である。
【図２１】図１６に示すケースの開いた状態を示す平面図解図である。
【図２２】図１６に示すケースの開いた状態を示す底面図解図である。
【図２３】図１９Ａ部断面図解図である。
【図２４】図１９Ｂ部断面図解図である。
【図２５】図１６に示すケースを構成する側面部材の平面図解図である。
【図２６】図１６に示すケースを構成する側面部材の架設部の近傍の断面図解図である。
【図２７】図１６に示すケースを構成する側面部材の横断面図解図である。
【図２８】ケースを説明する斜視図解図である。
【発明を実施するための形態】
【００１０】
図１Ａ及び図１Ｂは、この発明の一実施の形態であるファイル形ケースを示す斜視図解図である。
ケース１０は、ベース部１２及びカバー部１４を含む。ベース部１２及びカバー部１４は、主面部を構成する長方形状の主面部材１６を含み、主面部材１６の４つの端辺に、ほぼ直交する向きに延びるように、側面部を構成する側面部材１８が固定されて、側面部を形成される。
側面部は、ケース１０の天部、該天部に対向する底部及び該天部と底部の両端に形成される襠部を含む。
ベース部１２は、主面部材１６と側面部材１８とにより囲繞された内側に、用箋，ノート，書籍，文房具等の被収納物を収納するための収納部１２Ｓを形成され、カバー部１４は、主面部材１６と側面部材１８とにより囲繞された内側に収納部１４Ｓを形成されている。
【００１１】
ベース部１２とカバー部１４とは、略々相似形であり、ベース部１２の開口部１２ａとカバー部１４の開口部１４ａとは、ベース部１２とカバー部１４を閉じたときにベース部１２の開口部１２ａの口縁とカバー部１４の開口部１４ａの口縁とが重なり合い、ベース部１２の内側の収納部１２Ｓとカバー部１４の内側の収納部１４Ｓとを密閉する。
【００１２】
主面部材１６は、ポリプロピレン等の薄い合成樹脂シートにより形成され、前記主面部材１６は、ベース部１２に固定される第１主面部材２０と、カバー部１４に固定される第２主面部材２２とを含む。
この実施の形態においては、主面部材１６は、押し出し成形（シーティング）により、厚さ０．４〜０．６ｍｍに成形された、シート状体である。
【００１３】
前記主面部材１６は、ベース部１２の表面側に配置される平面視略長方形状の第１主面部材２０と、カバー部１４の表面側に配置される平面視略長方形状の第２主面部材２２とを含む。
第１主面部材２０及び第２主面部材２２は、主として、ケース１０の胴部を構成するように形成されている。
【００１４】
前記主面部材１６は、前記第１主面部材２０から第２主面部材２２にのびて第１主面部材２０と第２主面部材２２との間に架設された接続部材２４を更に含み、接続部材２４は、前記第１主面部材２０及び前記第２主面部材２２と一体的に形成される。前記接続部材２４は、ケース１０の向こう側の側面側で、前記側面部材１８に並置され、底部を構成するように形成されている。
【００１５】
前記第１主面部材２０は、ベース部１２の内面側になる表面の外周縁の近傍で前記側面部材１８を接合されて固定され、前記第２主面部材２２は、カバー部１４の内面側になる表面の外周縁の近傍で前記側面部材１８に接合されて固定される。
第１主面部材２０と接続部材２４との境界線部は、主面部材１６を構成するシート状体を折り曲げられて形成された、直線状のヒンジ部２６を構成し、第２主面部材２２と接続部材２４との境界線部は、主面部材１６を構成するシート状体を折り曲げられて形成された、直線状のヒンジ部２８を構成する。そして、第１主面部材２０と接続部材２４とは、ヒンジ部２６を介して折り曲げ自在に連結され、第２主面部材２２と接続部材２４とは、ヒンジ部２８を介して折り曲げ自在に連結されている。
この実施の形態においては、ケース１０の幅方向における接続部材２４の長さは、第１主面部材２０及び第２主面部材２２の長さより短く形成され、第１主面部材２０の右及び左の向こう側端縁２０ｄより内側に入り、且つ第２主面部材２２の右及び左の向こう側端縁２２ｄより内側に入り込む、右側端縁２４ａ及び左側端縁２４ｂを形成されている。
【００１６】
側面部材１８は、ベース部１２の天部、底部及び襠部を構成する平面視略コ字形の第１側面部材３０と、カバー部１４の天部、底部及び襠部を構成する平面視略コ字形の第２側面部材６０とを含む。
【００１７】
ベース部１２を構成する第１側面部材３０は、ポリプロピレン等の合成樹脂で帯状に一体成形されており、平面視略直線状で断面略Ｌ字形の手前壁部３２と、手前壁部３２の右端に連設された、平面視略直線状で断面略Ｌ字形の右壁部３４と、手前壁部３２の左端に連設された、平面視略直線状で断面略Ｌ字形の左壁部３６と、右壁部３４の下端に連設された右向こう壁部３８と、接続部材２４の下端に連設された左向こう壁部４０とを有する。
この実施の形態においては、手前壁部３２と右壁部３４との境界部は、平面視略半円弧状であり、手前壁部３２と左壁部３６との境界部は、平面視略半円弧状である。
また、右壁部３４と右向こう壁部３８との境界部は、平面視略半円弧状であり、左壁部３６と左向こう壁部４０との境界部は、平面視略半円弧状である。
そして、第１側面部材３０は、手前壁部３２の長手方向における中央を中心として左右対称に形成されている。
【００１８】
手前壁部３２は、カバー部１４をベース部１２に被せて締めておくための留め部４２を、長手方向の中央に備えている。留め部４２は、手前壁部３２の上縁から手前側に突出され、手前壁部３２の手前側面に向けて接離するように折り曲げ自在に形成された、突出片４２ａを備える。該突出片４２ａは、正面視略長方形状の板片であり、カバー部１４の留め部７２に係止させる突起部４２ｂを、先端において留め部７２側に向けて突き出し設けられている。
【００１９】
第１側面部材３０は、合成樹脂による成形加工を容易にするために、手前壁部３２と、右壁部３４と、左壁部３６と、右向こう壁部３８及び左向こう壁部４０とに分割されており、上から下に亘って連続する薄肉状の連結部５０で連結されるように構成され、合成樹脂により一体成形されている。
この実施の形態においては、手前壁部３２と右壁部３４とは、手前壁部３２側の右端の近傍に形成された連結部５０を構成する第１連結部５２で連結され、手前壁部３２と左壁部３６とは、手前壁部３２側の左端の近傍に形成された連結部５０を構成する第２連結部５４で連結されている。そして、右壁部３４と右向こう壁部３８とは、右壁部３４の右向こう壁部３８側寄りに形成された連結部５０を構成する第３連結部５６で連結され、左壁部３６と左向こう壁部４０とは、左壁部３６の左向こう壁部４０側寄りに形成された連結部５０を構成する第４連結部５８で連結されている。
【００２０】
この実施の形態においては、第１連結部５２及び第２連結部５４は、手前壁部３２の長手方向の中央より左右にのびる手前壁部３２を分割しており、手前壁部３２の中央より左右にのびる平面視直線状の第１壁部（手前壁部）構成部３０Ａを形成している。
第１連結部５２は、手前壁部３２を分割しており、手前壁部３２の第１連結部５２より右側で境界部より中央側において手前壁部３２と右壁部３４とが連結された、平面視Ｌ字形の第２壁部（手前壁部及び右壁部）構成部３０Ｂを形成している。そして、第２連結部５４は、手前壁部３２を分割しており、手前壁部３２の第２連結部５４より左側で境界部より中央側において手前壁部３２と左壁部３６とが連結された、平面視Ｌ字形の第３壁部（手前壁部及び左壁部）構成部３０Ｃを形成している。
第３連結部５６は、右壁部３４を分割しており、右壁部３４の第２連結部５４より向こう側で境界部より手前壁部側において右壁部３４と右向こう壁部３８とが連結された、平面視Ｌ字形の第４壁部（右壁部及び向こう壁部）構成部３０Ｄを形成されている。そして、第４連結部５８は、左壁部３６を分割しており、左壁部３６の第４連結部５８より向こう側で境界部より手前壁部側において左壁部３６と左向こう壁部４０とが連結された、平面視Ｌ字形の第５壁部（左壁部及び向こう壁部）構成部３０Ｅを形成している。
【００２１】
第１側面部材３０は、ベース部１２の開口部１２ａを構成する側とは反対側の外縁の内側に、主面部材１６の第１主面部材２０を超音波溶着等で接合し固定するための主面部材固定部を形成されている。
手前壁部３２は、外縁の内側に、断面略Ｌ字形の主面部材固定部３２ａを段差状に形成され、右壁部３４は、外縁の内側に、断面略Ｌ字形の主面部材固定部３４ａを段差状に形成され、左壁部３６は、外縁の内側に、断面略Ｌ字形の主面部材固定部３６ａを段差状に形成され、右向こう壁部３８は、外縁の内側に、断面略Ｌ字形の主面部材固定部３８ａを段差状に形成され、左向こう壁部４０は、外縁の内側に、断面略Ｌ字形の主面部材固定部４０ａを段差状に形成されている。
この実施の形態においては、主面部材１６を固定する面は、主面部材固定部３２ａと主面部材固定部３４ａと主面部材固定部３６ａと主面部材固定部３８ａと主面部材固定部４０ａとが連なった水平の平面状に形成され、主面部材１６を密着させるように構成されている。
この実施の形態においては、主面部材固定部は、第１側面部材３０及び第２側面部材６０の外表面から下方に向けて、垂直面を形成され且つ該垂直面から内部に向けて水平面を形成され、垂直面は主面部材１６の厚さよりもやや短い０．３ｍｍ程度の深さに凹設されている。
【００２２】
そして、第１主面部材２０を第１側面部材３０に固着するときは、手前壁部３２の第１連結部５２における右側端縁と右壁部３４の第１連結部５２における手前側端縁とをつき合わせて密着させ、手前壁部３２の第１連結部５２における左側端縁と左壁部３６の第２連結部５４における手前側端縁とをつき合わせて密着させ、右壁部３４の第３連結部５６における向こう側端縁と右向こう壁部３８の第３連結部５６における右側端縁とをつき合わせて密着させ、左壁部３６の第３連結部５６における向こう側端縁と左向こう壁部４０の第４連結部５８における左側端縁とをつき合わせて密着させ、平面視略コの字形に成形する。
そして、主面部材固定部３２ａ，主面部材固定部３４ａ，主面部材固定部３６ａ，主面部材固定部３８ａ及び主面部材固定部４０ａに、第１主面部材２０の手前側端縁２０ａの近傍，右側端縁２０ｂの近傍，左側端縁２０ｃの近傍，そしてヒンジ部２６の近傍を溶着する。
而して、連結部５０で分割されていた、手前壁部３２と右壁部３４と左壁部３６と右向こう壁部３８と左向こう壁部４０とは、連結部５０を密着して、ベース部１２を成形される。
【００２３】
カバー部１４を構成する第２側面部材６０は、ポリプロピレン等の合成樹脂で帯状に一体成形されており、平面視略直線状で断面略Ｌ字形の手前壁部６２と、手前壁部６２の右端に連設された、平面視略直線状で断面略Ｌ字形の右壁部６４と、手前壁部６２の左端に連設された、平面視略直線状で断面略Ｌ字形の左壁部６６と、右壁部６４の下端に連設された右向こう壁部６８と、接続部材２４の下端に連設された左向こう壁部７０とを有する。
この実施の形態においては、手前壁部６２と右壁部６４との境界部は、平面視略半円弧状であり、手前壁部６２と左壁部６６との境界部は、平面視略半円弧状である。
また、右壁部６４と右向こう壁部６８との境界部は、平面視略半円弧状であり、左壁部６６と左向こう壁部７０との境界部は、平面視略半円弧状である。
第２側面部材６０は、手前壁部６２の長手方向における中央を中心として左右対称に形成されている。
【００２４】
手前壁部６２は、カバー部１４をベース部１２に被せて締めておくための留め部７２を、長手方向の中央に備えている。留め部７２は、手前壁部６２の手前側面に形成された係止段部ないし係止穴部によって構成されている。
この実施の形態においては、留め部７２は、手前壁部６２の手前側面より突設された係止凸部７２ａによって係止段部を構成し、係止凸部７２ａは、その先端にベース部１２の留め部４２を垂直に止めるための係合凸部７２ｂを突設されている。
【００２５】
第２側面部材６０は、合成樹脂による成形加工を容易にするために、手前壁部６２と、右壁部６４と、左壁部６６と、右向こう壁部６８及び左向こう壁部７０とに分割されており、上から下に亘って連続する薄肉状の連結部８０で連結されるように構成され、合成樹脂により一体成形されている。
この実施の形態においては、手前壁部６２と右壁部６４とは、手前壁部６２側の右端の近傍に形成された連結部８０を構成する第１連結部８２で連結され、手前壁部６２と左壁部６６とは、手前壁部６２側の左端の近傍に形成された連結部８０を構成する第２連結部８４で連結されている。そして、右壁部６４と右向こう壁部６８とは、右壁部６４の右向こう壁部６８側寄りに形成された連結部８０を構成する第３連結部８６で連結され、左壁部６６と左向こう壁部７０とは、左壁部６６の左向こう壁部７０側寄りに形成された連結部８０を構成する第４連結部８８で連結されている。
【００２６】
この実施の形態においては、第１連結部８２及び第２連結部８４は、手前壁部６２の長手方向の中央より左右にのびる手前壁部６２を分割しており、手前壁部６２の中央より左右にのびる平面視直線状の第１壁部（手前壁部）構成部３０Ａを形成している。
第１連結部８２は、手前壁部６２を分割しており、手前壁部６２の第１連結部８２より右側で境界部より中央側において手前壁部６２と右壁部６４とが連結された、平面視Ｌ字形の第２壁部（手前壁部及び右壁部）構成部３０Ｂを形成している。そして、第２連結部８４は、手前壁部６２を分割しており、手前壁部６２の第２連結部８４より左側で境界部より中央側において手前壁部６２と左壁部６６とが連結された、平面視Ｌ字形の第３壁部（手前壁部及び左壁部）構成部３０Ｃを形成している。
第３連結部８６は、右壁部６４を分割しており、右壁部６４の第２連結部８４より向こう側で境界部より手前壁部側において右壁部６４と右向こう壁部６８とが連結された、平面視Ｌ字形の第４壁部（右壁部及び向こう壁部）構成部３０Ｄを形成されている。そして、第４連結部８８は、左壁部６６を分割しており、左壁部６６の第４連結部８８より向こう側で境界部より手前壁部側において左壁部６６と左向こう壁部７０とが連結された、平面視Ｌ字形の第５壁部（左壁部及び向こう壁部）構成部３０Ｅを形成している。
【００２７】
第２側面部材６０は、カバー部１４の開口部１４ａを構成する側とは反対側の外縁の内側に、主面部材１６の第２主面部材２２を超音波溶着等で接合し固定するための主面部材固定部を形成されている。
手前壁部６２は、外縁の内側に、断面略Ｌ字形の主面部材固定部６２ａを段差状に形成され、右壁部６４は、外縁の内側に、断面略Ｌ字形の主面部材固定部６４ａを段差状に形成され、左壁部６６は、外縁の内側に、断面略Ｌ字形の主面部材固定部６６ａを段差状に形成され、右向こう壁部６８は、外縁の内側に、断面略Ｌ字形の主面部材固定部６８ａを段差状に形成され、左向こう壁部７０は、外縁の内側に、断面略Ｌ字形の主面部材固定部７０ａを段差状に形成されている。
この実施の形態においては、主面部材１６を固定する面は、主面部材固定部６２ａと主面部材固定部６４ａと主面部材固定部６６ａと主面部材固定部６８ａと主面部材固定部７０ａとが連なった水平の平面状に形成され、主面部材１６を密着させるように構成されている。
この実施の形態においては、主面部材固定部は、第１側面部材３０及び第２側面部材６０の外表面から下方に向けて、垂直面を形成され且つ該垂直面から内部に向けて水平面を形成され、垂直面は主面部材１６の厚さよりもやや短い０．３ｍｍ程度の深さに凹設されている。
【００２８】
そして、第２主面部材２２を第２側面部材６０に固着するときは、手前壁部６２の第１連結部８２における右側端縁と右壁部６４の第１連結部８２における手前側端縁とをつき合わせて密着させ、手前壁部６２の第１連結部８２における左側端縁と左壁部６６の第２連結部８４における手前側端縁とをつき合わせて密着させ、右壁部６４の第３連結部８６における向こう側端縁と右向こう壁部６８の第３連結部８６における右側端縁とをつき合わせて密着させ、左壁部６６の第３連結部８６における向こう側端縁と左向こう壁部７０の第４連結部８８における左側端縁とをつき合わせて密着させ、平面視略コの字形に成形する。
そして、主面部材固定部６２ａ，主面部材固定部６４ａ，主面部材固定部６６ａ，主面部材固定部６８ａ及び主面部材固定部７０ａに、第２主面部材２２の手前側端縁２２ａの近傍，右側端縁２２ｂの近傍，左側端縁２２ｃの近傍，そしてヒンジ部２８の近傍を溶着する。
而して、連結部８０で分割されていた、手前壁部６２と右壁部６４と左壁部６６と右向こう壁部６８と左向こう壁部７０とは、連結部８０を密着して、カバー部１４を成形される。
【００２９】
主面部材１６の接続部材２４は、ベース部１２及びカバー部１４の向こう側において、第１側面部材３０の右向こう壁部３８及び左向こう壁部４０と第２側面部材６０の右向こう壁部６８及び左向こう壁部７０との間に跨る。
この実施の形態においては、接続部材２４は、ベース部１２の右向こう壁部３８及び左向こう壁部４０の向こう側面とカバー部１４の右向こう壁部６８及び左向こう壁部７０の向こう側面とに接合し、右向こう壁部３８と右向こう壁部６８との間及び左向こう壁部４０と左向こう壁部７０との間に跨って固定される。
この実施の形態においては、右向こう壁部３８の主面部材固定部３８ａと右向こう壁部３８の向こう側面とは直交し、左向こう壁部４０の主面部材固定部４０ａと左向こう壁部４０の向こう側面とは直交し、右向こう壁部６８の主面部材固定部６８ａと右向こう壁部６８の向こう側面とは直交し、左向こう壁部７０の主面部材固定部７０ａと左向こう壁部７０の向こう側面とは直交している。
而して、第１主面部材２０と接続部材２４とは、ヒンジ部２６において直角に折り曲げられ、第２主面部材２２と接続部材２４とは、ヒンジ部２８において直角に折り曲げられる。
【００３０】
而して、接続部材２４は、右向こう壁部３８及び左向こう壁部４０の下縁にヒンジ部２６を接し且つ右向こう壁部６８及び左向こう壁部７０の上縁にヒンジ部２８を接して、ベース部１２の開口部１２ａにカバー部１４の開口部１４ａを被せ、開口部１２ａの留め部４２をカバー部１４の留め部７２に係止させて、被蓋する。
ベース部１２とカバー部１４とを開口するときには、留め部４２を留め部７２から外し、ヒンジ部２８及びヒンジ部２６を中心にしてカバー部１４を開く。
【００３１】
ベース部１２の開口部１２ａの開口縁とカバー部１４の開口部１４ａの開口縁とは、カバー部１４を閉じたときに、手前側と向こう側との間において、ずれを生じさせないようにするための段差によるずれ防止部９０を、右壁部３４と左壁部３６及び右壁部６４と左壁部６６に形成されている。
また、ベース部１２の開口部１２ａの開口縁とカバー部１４の開口部１４ａの開口縁とは、カバー部１４を閉じたときに、右側縁と左側縁との間において、ずれを生じさせないようにするための段差によるずれ防止部９２を、手前壁部３２及び手前壁部６２に形成されている。
この実施の形態においては、ずれ防止部９０は、ベース部１２の開口部１２ａにカバー部１４を被せたとき、ベース部１２を構成する右壁部３４及び左壁部３６に突設されたずれ防止係止凸部９０ａに、カバー部１４を構成する右壁部６４及び左壁部６６に穿設されたずれ防止係止凹部９０ｂを、嵌合させるように構成されている。
また、ずれ防止部９０は、ベース部１２を構成する右壁部３４及び左壁部３６に穿設されたずれ防止係止凹部９０ｃに、カバー部１４を構成する右壁部６４及び左壁部６６に突設されたずれ防止係止凸部９０ｄを、嵌合させるように構成されている。
また、ずれ防止部９２は、ベース部１２の開口部１２ａにカバー部１４を被せたとき、ベース部１２を構成する手前壁部３２に穿設されたずれ防止係止凹部９２ａに、カバー部１４を構成する手前壁部６２に突設されたずれ防止係止凸部９２ｂを、嵌合させるように構成されている。
ずれ防止係止凹部９０ｂ，ずれ防止係止凹部９０ｃ及びずれ防止係止凹部９２ａの内側には、被収納物が収納部１２Ｓ及び収納部１４Ｓからこぼれ落ちないようにするための隔壁９４及び隔壁９６を形成されている。
【００３２】
この発明は、前記実施の形態に限らず、種々変形することが可能である。
例えば、図１２ないし図１５に示すように、連結部５０を構成する第３連結部５６及び第４連結部５８を形成して右壁部３４及び左壁部３６を分割することなく、右壁部３４と右向こう壁部３８とを一体とし、左壁部３６と左向こう壁部４０と一体としてもよい。
この実施の形態においては、第２壁部（手前壁部及び右壁部）構成部３０Ｂと第４壁部（右壁部及び向こう壁部）構成部３０Ｄを一体化して右壁部３４と右向こう壁部３８とが連続する平面視略コ字形の第６壁部構成部３０Ｆを形成し、第３壁部（手前壁部及び左壁部）構成部３０Ｃと第５壁部（左壁部及び向こう壁部）構成部３０Ｅとを一体化して左壁部３６と左向こう壁部４０とが連続する平面視略コ字形の第７壁部構成部３０Ｇを形成されている。
【００３３】
ベース部１２とカバー部１４とは、使用者の嗜好等によって、カバー部１４を下にしベース部１２を上にして用いてもよく、前述したようにベース部１２を下にしカバー部１４を上にして机等の表面に載置する使用方法に限定されるものではない。
【００３４】
而して、このケース１０は、主面部材１６のために、色形や表面形状の変化した種々のシート状体を作製しておき、一方、側面部材１８のために一定のものを作製しておき、マーケティング等に対応して種々の色形や表面形状のケースを作製して提供することができる。
【００３５】
図１６及び図１７は、この発明の別の実施の形態であるペンケースを示す斜視図解図である。
ケース１１０は、ベース部１１２及びカバー部１１４を含む。ベース部１１２及びカバー部１１４は、主面部を構成する長方形状の主面部材１１６を含み、主面部材１１６の４つの端辺に、ほぼ直交する向きに延びるように、側面部を構成する側面部材１１８が固定されて、側面部を形成される。
側面部は、ケース１１０の天部、該天部に対向する底部及び該天部と底部の両端に形成される襠部を含む。
ベース部１１２は、主面部材１１６と側面部材１１８とにより囲繞された内側に、ペン等の被収納物を収納するための収納部１１２Ｓを形成され、カバー部１１４は、主面部材１１６と側面部材１１８とにより囲繞された内側に収納部１１４Ｓを形成されている。
【００３６】
ベース部１１２とカバー部１１４とは、略々相似形であり、ベース部１１２の開口部１１２ａとカバー部１１４の開口部１１４ａとは、ベース部１１２とカバー部１１４を閉じたときにベース部１１２の開口部１１２ａの口縁とカバー部１１４の開口部１１４ａの口縁とが重なり合い、ベース部１１２とカバー部１１４との内側の収納部１１２Ｓ及び収納部１１４Ｓを密閉する。
【００３７】
主面部材１１６は、薄いポリプロピレン等の合成樹脂シートにより形成され、前記主面部材１１６は、ベース部１１２に固定される第１主面部材１２０と、カバー部１１４に固定される第２主面部材１２２とを含む。
この実施の形態においては、主面部材１１６は、押し出し成形（シーティング）により、厚さ０．４〜０．６ｍｍに成形された、シート状体である。
【００３８】
前記主面部材１１６は、ベース部１１２の表面側に配置される平面視略長方形状の第１主面部材１２０と、カバー部１１４の表面側に配置される平面視略長方形状の第２主面部材１２２とを含む。
【００３９】
前記主面部材１１６は、前記第１主面部材１２０から第２主面部材１２２にのびて第１主面部材１２０と第２主面部材１２２との間に架設された接続部材１２４を更に含み、接続部材１２４は、前記第１主面部材１２０及び前記第２主面部材１２２と一体的に形成される。前記接続部材１２４は、ケース１１０の向こう側の側面側で、前記側面部材１１８に並置されるように形成されている。
【００４０】
前記第１主面部材１２０は、ベース部１１２の内面側になる表面の外周縁の近傍で前記側面部材１１８を接合されて固定され、前記第２主面部材１２２は、カバー部１１４の内面側になる表面の外周縁の近傍で前記側面部材１１８に接合されて固定される。
第１主面部材１２０と接続部材１２４との境界線部は、主面部材１１６を構成するシート状体を折り曲げられて形成された、直線状のヒンジ部１２６を構成し、第２主面部材１２２と接続部材１２４との境界線部は、主面部材１１６を構成するシート状体を折り曲げられて形成された、直線状のヒンジ部１２８を構成し、第１主面部材１２０と接続部材１２４とはヒンジ部１２６を介して折り曲げ自在に連結され、第２主面部材１２２と接続部材１２４とはヒンジ部１２８を介して折り曲げ自在に連結されている。
この実施の形態においては、ケース１１０の幅方向における接続部材１２４の長さは、第１主面部材１２０及び第２主面部材１２２の長さより短く形成され、第１主面部材１２０の右及び左の向こう側端縁１２０ｄより内側に入り、且つ第２主面部材１２２の右及び左の向こう側端縁１２２ｄより内側に入り込む、右側端縁１２４ａ及び左側端縁１２４ｂを形成されている。
【００４１】
接続部材１２４は、第１主面部材１２０及び第２主面部材１２２の右側縁との間に間隔をあけ且つ第１主面部材１２０及び第２主面部材１２２の左側縁との間に間隔をあける、凹部が形成されるように構成されている。
【００４２】
側面部材１１８は、ベース部１１２を構成する平面視略ロ字形の第１側面部材１３０と、カバー部１１４を構成する平面視略ロ字形の第２側面部材１６０とを含む。
【００４３】
ベース部１１２を構成する第１側面部材１３０は、ポリプロピレン等の合成樹脂で帯状に一体成形されており、平面視略直線状で断面略Ｌ字形の手前壁部１３２と、手前壁部１３２の右端に連設された、平面視略直線状で断面略Ｌ字形の右壁部１３４と、手前壁部１３２の左端に連設された、平面視略直線状で断面略Ｌ字形の左壁部１３６と、右壁部１３４及び左壁部１３６の下端に連設された、平面視略直線状で断面略Ｌ字形の向こう壁部１３８とを有する。
【００４４】
手前壁部１３２は、カバー部１１４をベース部１１２に被せて締めておくための留め部１４２を備えている。
留め部１４２は、手前壁部１３２の内側に穿設された係止凹部１４２ａをもって構成されている。
【００４５】
第１側面部材１３０は、ベース部１１２の開口部１１２ａを構成する側とは反対側の外縁の内側に、主面部材１１６の第１主面部材１２０を超音波溶着等で接合し固定するための主面部材固定部を形成されている。
手前壁部１３２は、外縁の内側に、断面略Ｌ字形の主面部材固定部１３２ａを段差状に形成され、右壁部１３４は、外縁の内側に、断面略Ｌ字形の主面部材固定部１３４ａを段差状に形成され、左壁部１３６は、外縁の内側に、断面略Ｌ字形の主面部材固定部１３６ａを段差状に形成され、向こう壁部１３８は、外縁の内側に、断面略Ｌ字形の主面部材固定部１３８ａを段差状に形成されている。
この実施の形態においては、主面部材１１６を固定する面は、水平の平面状に形成され、主面部材１１６を密着させるように構成されている。
この実施の形態においては、主面部材固定部は、第１側面部材１３０及び第２側面部材１６０の外表面から下方に向けて、垂直面を形成され且つ該垂直面から内部に向けて水平面を形成され、垂直面は主面部材１１６の厚さよりもやや短い０．３ｍｍ程度の深さに凹設されている。
【００４６】
そして、主面部材固定部１３２ａ，主面部材固定部１３４ａ，主面部材固定部１３６ａ及び主面部材固定部１３８ａに、第１主面部材１２０の手前側端縁１２０ａ，右側端縁１２０ｂ，左側端縁１２０ｃの近傍，そしてヒンジ部１２６の近傍を溶着する。
【００４７】
カバー部１１４を構成する第２側面部材１６０は、ポリプロピレン等の合成樹脂で帯状に一体成形されており、手前壁部１６２と、手前壁部１６２の右端に連設された右壁部１６４と、手前壁部１６２の左端に連設された左壁部１６６と、右壁部１６４の下端に連設された向こう壁部１６８とを有する。
【００４８】
手前壁部１６２は、カバー部１１４をベース部１１２に被せて締めておくための留め部１７２を備えている。
留め部１７２は、手前壁部１６２の端縁より突設された突出片１４２ａの係止凸起をもって構成されている。
【００４９】
第２側面部材１６０は、カバー部１１４の開口部１１４ａを構成する側とは反対側の外縁の内側に、主面部材１１６の第２主面部材１２２を超音波溶着等で接合し固定するための主面部材固定部を形成されている。
手前壁部１６２は、外縁の内側に、断面略Ｌ字形の主面部材固定部１６２ａを段差状に形成され、右壁部１６４は、外縁の内側に、断面略Ｌ字形の主面部材固定部１６４ａを段差状に形成され、左壁部１６６は、外縁の内側に、断面略Ｌ字形の主面部材固定部１６６ａを段差状に形成され、向こう壁部１６８は、外縁の内側に、断面略Ｌ字形の主面部材固定部１６８ａを段差状に形成されている。
この実施の形態においては、主面部材１１６を固定する面は、水平の平面状に形成され、主面部材１１６を密着させるように構成されている。
この実施の形態においては、主面部材固定部は、第１側面部材１３０及び第２側面部材１６０の外表面から下方に向けて、垂直面を形成され且つ該垂直面から内部に向けて水平面を形成され、垂直面は主面部材１１６の厚さよりもやや短い０．３ｍｍ程度の深さに凹設されている。
【００５０】
第１側面部材１３０と第２側面部材１６０とは、向こう壁部１３８の向こう側と向こう壁部１６８の手前側との間に架け渡された右架設部１５０及び左架設部１５２によって連結されている。
右架設部１５０は、右壁部１３４及び右壁部１６４の右側面より内側に入った位置において、第１側面部材１３０及び第２側面部材１６０の外側面からのびる帯状であり、左架設部１５２は、左壁部１３６及び左壁部１６６の左側面より内側に入った位置において、第１側面部材１３０及び第２側面部材１６０の外側面からのびる帯状であり、右架設部１５０と左架設部１５２との間は、空間が形成されている。
【００５１】
そして、主面部材固定部１６２ａ，主面部材固定部１６４ａ，主面部材固定部１６６ａ及び主面部材固定部１６８ａに、第２主面部材１２２の手前側端縁１２２ａ，右側端縁１２２ｂ，左側端縁１２２ｃの近傍，そしてヒンジ部１２８の近傍を溶着する。
主面部材１１６の接続部材１２４は、右架設部１５０及び左架設部１５２の内側（対向する側）において、第１側面部材１３０と第２側面部材１６０との間に架け渡される。
【００５２】
主面部材１１６の接続部材１２４は、ベース部１１２及びカバー部１１４の向こう側において、第１側面部材１３０の向こう壁部１３８と第２側面部材１６０の向こう壁部１６８との間に跨る。
この実施の形態においては、接続部材１２４は、第１側面部材１３０の向こう壁部１３８及び第２側面部材１６０の向こう壁部１６８と右架設部１５０及び左架設部１５２とに接合し、右架設部１５０と左架設部１５２との間及び向こう壁部１３８と向こう壁部１６８との間に跨って固定される。
この実施の形態においては、向こう壁部１３８の主面部材固定部１３８ａと右架設部１５０及び左架設部１５２の上の表面とは直交し、向こう壁部１６８の主面部材固定部１６８ａと右架設部１５０及び左架設部１５２の上の表面とは直交している。
而して、第１主面部材１２０と接続部材１２４とは、ヒンジ部１２６において直角に折り曲げられ、第２主面部材１２２と接続部材１２４とは、ヒンジ部１２８において直角に折り曲げられる。
而して、接続部材１２４は、向こう壁部１３８の下縁にヒンジ部１２６を接し且つ向こう壁部１６８の上縁にヒンジ部１２８を接して、ベース部１１２の開口部１１２ａにカバー部１１４の開口部１１４ａを被せ、開口部１１４ａの留め部１７２をベース部１１２の留め部１４２に係止させて、被蓋する。
ベース部１１２とカバー部１１４とを開口するときには、留め部１７２を留め部１４２から外し、ヒンジ部１２８及びヒンジ部１２６を中心にしてカバー部１１４を開く。
【００５３】
ベース部１１２の開口部１１２ａの開口縁とカバー部１１４の開口部１１４ａの開口縁とは、カバー部１１４を閉じたときに、手前側と向こう側との間において、ずれを生じさせないようにするための段差によるずれ防止部１９０を、右壁部１３４と左壁部１３６及び右壁部１６４と左壁部１６６に形成されている。
また、ベース部１１２の開口部１１２ａの開口縁とカバー部１１４の開口部１１４ａの開口縁とは、カバー部１１４を閉じたときに、右側縁と左側縁との間において、ずれを生じさせないようにするための段差によるずれ防止部１９２を、手前壁部１３２及び手前壁部１６２に形成されている。
この実施の形態においては、ずれ防止部１９０は、ベース部１１２の開口部１１２ａにカバー部１１４を被せたとき、ベース部１１２を構成する右壁部１３４及び左壁部１３６に穿設されたずれ防止係止凹部１９０ａに、カバー部１１４を構成する右壁部１６４及び左壁部１６６に突設されたずれ防止係止凸部１９０ｂを、嵌合させるように構成されている。
また、ずれ防止部１９２は、ベース部１１２の開口部１１２ａにカバー部１１４を被せたとき、ベース部１１２を構成する手前壁部１３２に穿設されたずれ防止係止凹部１９２ａに、カバー部１１４を構成する手前壁部１６２に突設されたずれ防止係止凸部１９２ｂを、嵌合させるように構成されている。
ずれ防止係止凹部１９０ａ，ずれ防止係止凹部１９０ｄ及びずれ防止係止凹部１９２ａの内側には、被収納物が収納部１１２Ｓ及び収納部１１４Ｓからこぼれ落ちないようにするための隔壁１９４及び隔壁１９６を形成されている。
【００５４】
ベース部１１２とカバー部１１４とは、使用者の嗜好等によって、カバー部１１４を下にしベース部１１２を上にして用いてもよく、前述したようにベース部１１２を下にしカバー部１１４を上にして机等の表面に載置する使用方法に限定されるものではない。
【００５５】
而して、このケース１１０は、主面部材１１６のために、色形や表面形状の変化した種々のシート状体を作製しておき、一方、側面部材１１８のために一定のものを作製しておき、マーケティング等に対応して種々の色形や表面形状のケースを作製して提供することができる。
【産業上の利用可能性】
【００５６】
この発明にかかるケースは、たとえば用紙などを収納することができる箱形ケースや筆記用具などを収納することができるペンケースなど種々のものを収納できるケースに適用できる。
【符号の説明】
【００５７】
１０，１１０  ケース
１２，１１２  ベース部
１２Ｓ，１４Ｓ，１１２Ｓ，１１４Ｓ  収納部
１２ａ，１１２ａ  開口部
１４，１１４  カバー部
１４ａ，１１４ａ  開口部
１６，１１６  主面部材
１８，１１８  側面部材
２０，１２０  第１主面部材
２０ａ，２２ａ，１２０ａ，１２２ａ  手前側端縁
２０ｂ，２２ｂ，２４ａ，１２０ｂ，１２２ｂ，１２４ａ  右側端縁
２０ｃ，２２ｃ，２４ｂ，１２０ｃ，１２２ｃ，１２４ｂ  左側端縁
２０ｄ，２２ｄ，１２０ｄ，１２２ｄ  向こう側端縁
２２，１２２  第２主面部材
２４，１２４  接続部材
２６，２８，１２６，１２８  ヒンジ部
３０，１３０  第１側面部材
３０Ａ  第１壁部（手前壁部）構成部
３０Ｂ  第２壁部（手前壁部及び右壁部）構成部
３０Ｃ  第３壁部（手前壁部及び左壁部）構成部
３０Ｄ  第４壁部（右壁部及び向こう壁部）構成部
３０Ｅ  第５壁部（左壁部及び向こう壁部）構成部
３０Ｆ  第６壁部構成部
３０Ｇ  第７壁部構成部
３２，６２，１３２，１６２  手前壁部
３２ａ，６２ａ，１３２ａ，１６２ａ  主面部材固定部
３４，６４，１３４，１６４  右壁部
３４ａ，６４ａ，１３４ａ，１６４ａ  主面部材固定部
３６，６６，１３６，１６６  左壁部
３６ａ，６６ａ，１３６ａ，１６６ａ  主面部材固定部
３８，６８  右向こう壁部
３８ａ，６８ａ  主面部材固定部
４０，７０  左向こう壁部
４０ａ，７０ａ  主面部材固定部
４２，７２，１４２，１７２  留め部
４２ａ，１４２ａ  突出片
４２ｂ  突起部
５０，８０  連結部
５２，８２  第１連結部
５４，８４  第２連結部
５６，８６  第３連結部
５８，８８  第４連結部
６０，１６０  第２側面部材
７２ａ  係止凸部
７２ｂ  係合凸部
９０，９２，１９０，１９２  ずれ防止部
９０ｂ，９０ｃ，９２ａ，１９０ａ，１９０ｄ，１９２ａ  ずれ防止係止凹部
９０ａ，９０ｄ，９２ｂ，１９０ｂ，１９０ｃ，１９２ｂ  ずれ防止係止凸部
９４，９６，１９４，１９６  隔壁
１３８，１６８  向こう壁部
１３８ａ，１６８ａ  主面部材固定部
１４２ａ  係止凹部
１５０  右架設部
１５２  左架設部
【図１Ａ】
0005171911.tif 000002
【図１Ｂ】
0005171911.tif 000003
【図２】
0005171911.tif 000004
【図３】
0005171911.tif 000005
【図４】
0005171911.tif 000006
【図５】
0005171911.tif 000007
【図６Ａ】
0005171911.tif 000008
【図６Ｂ】
0005171911.tif 000009
【図７Ａ】
0005171911.tif 000010
【図７Ｂ】
0005171911.tif 000011
【図８】
0005171911.tif 000012
【図９】
0005171911.tif 000013
【図１０】
0005171911.tif 000014
【図１１】
0005171911.tif 000015
【図１２】
0005171911.tif 000016
【図１３】
0005171911.tif 000017
【図１４】
0005171911.tif 000018
【図１５】
0005171911.tif 000019
【図１６】
0005171911.tif 000020
【図１７】
0005171911.tif 000021
【図１８】
0005171911.tif 000022
【図１９】
0005171911.tif 000023
【図２０】
0005171911.tif 000024
【図２１】
0005171911.tif 000025
【図２２】
0005171911.tif 000026
【図２３】
0005171911.tif 000027
【図２４】
0005171911.tif 000028
【図２５】
0005171911.tif 000029
【図２６】
0005171911.tif 000030
【図２７】
0005171911.tif 000031
【図２８】
0005171911.tif 000032